(57)【要約】【課題】框組パネルを効率よく、精度よく組み立てることができる框組パネル組立て用治具を提供する。【解決手段】中框４０は、第１中框４１の短手辺縁４１ａが第２中框４４の長手辺縁４４ａに連結するように配される構成とされている。治具１は、その配置面１ａには、第１中框４１のうち、１短手辺縁が枠框３０に連結される端部中框４２が収容され得る第１凹溝１１と、第２中框４４が収容され得る第２凹溝１２とが形成され、第１凹溝１１の溝通方向の一方の端縁が、第２凹溝１２の溝幅方向の一方の端縁に対し、溝間が連通するように直交状態に接続されており、第１凹溝１１は、その長さ寸法が端部中框４２の長手方向の寸法と略同じか小とされ、板状体の辺縁まで延びている。【選択図】図１
2020084611.tif 000002
【特許請求の範囲】
【請求項１】
四周に枠框を有し、枠内に複数の中框が縦横に直角をなすように配されてなる框組パネルの組立てに用いられる、略方形状の板状体に形成されてなる框組パネル組立て用治具であって、
前記中框は、一方向に配される第１中框と、他方向に配される第２中框とを有し、前記第１中框の短手辺縁が前記第２中框の長手辺縁に連結するように配される構成とされており、
前記板状体の一方の面を前記中框を配置する配置面とし、該配置面を上方に向けて作業平面上に載せ置いて用いられるものであり、
前記配置面には、前記第１中框のうち、１短手辺縁が前記枠框に連結される端部中框が収容され得る第１凹溝と、前記第２中框が収容され得る第２凹溝とが形成され、前記第１凹溝の溝通方向の一方の端縁が、前記第２凹溝の溝幅方向の一方の端縁に対し、溝間が連通するように直交状態に接続されており、
前記第１凹溝は、その長さ寸法が前記端部中框の長手方向の寸法と略同じか小とされ、前記板状体の辺縁まで延びていることを特徴とする框組パネル組立て用治具。
【請求項２】
請求項１において、
前記第１中框は、前記端部中框の配設方向と同方向に、前記端部中框とで前記第２中框を挟むように、分離して配設される内部中框を有しており、
前記第２凹溝における、前記第１凹溝と接続されていない側の端縁に、前記第２凹溝と溝間が連通するように直交状態に接続された、前記内部中框が収容され得る第３凹溝が形成されていることを特徴とする框組パネル組立て用治具。
【請求項３】
請求項２において、
前記框組パネルは框材間に鏡板を配する構成とされ、
前記中框には、前記鏡板を嵌め入れる嵌め入れ溝が形成されており、
前記第１凹溝、前記第２凹溝および前記第３凹溝を除く板面に、前記鏡板を載せ置く載置部が形成されており、
前記第１凹溝、前記第２凹溝および前記第３凹溝のそれぞれに前記中框が収容された際に、前記中框の厚み方向における前記嵌め入れ溝の開口下縁位置が、複数の前記中框間で互いに略同一位置とされ、かつ、前記載置部の上面位置と略一致するように形成されていることを特徴とする框組パネル組立て用治具。
【請求項４】
請求項３において、
前記枠框は、前記鏡板を嵌め入れる嵌め入れ溝を有しており、
前記作業平面に載せ置いた前記枠框の前記嵌め入れ溝と、前記第１凹溝、前記第２凹溝および前記第３凹溝に収容された前記中框の嵌め入れ溝とは、前記中框の厚み方向において略同位置とされることを特徴とする框組パネル組立て用治具。
【請求項５】
請求項３または４に記載の框組パネル組立て用治具を用いてなる框組パネル組立て用治具セットであって、
前記框組パネルは、前記第２中框を２枚、前記端部中框を２枚、前記縦框に接しない前記内部中框を１枚、前記鏡板を６枚用いてなり、
前記第２中框のそれぞれに対応して前記框組パネル組立て用治具を２枚有することを特徴とする框組パネル組立て用治具セット。
【請求項６】
請求項４の框組パネル組立て用治具を用いた框組パネルの製造方法であって、
前記框組パネル組立て用治具を、前記配置面を上方に向けて作業平面上に載せる準備工程と、
前記中框および前記鏡板を前記框組パネル組立て用治具の対応する箇所に載置し、前記枠框を前記中框および前記鏡板の外側の対応する位置に載置し、それらの部材間を仮組する仮組工程と、
前記枠框の２方向のそれぞれにおいて対向する２辺縁の外側より内方に向けて押圧し部材間を連結するプレス工程と、
前記框組パネル組立て用治具を取り外す取り外し工程と、を備えたことを特徴とする框組パネルの製造方法。
【発明の詳細な説明】
【技術分野】
【０００１】
本発明は、框組パネルの組立てに用いられる框組パネル組立て用治具、框組パネル組立て用治具セットおよび框組パネル組立て方法に関する。
【背景技術】
【０００２】
この種の框組パネルとして、中框により区画されたエリアごとに鏡板を設けたものがある（例えば、特許文献１参照）。この文献のものは、中縦框と中横框とが直角をなすように配されており、中縦框については、中横框の上方の中縦框と、下方の中縦框とが中横框に突き付け状に連結されている。
【０００３】
枠框および中框には、鏡板を連結するための嵌め入れ溝が形成されており、鏡板はその嵌め入れ溝に嵌入されて連結される。また、框間の連結については、例えば雇い実と嵌め入れ溝を用いて相互に嵌合連結する構成とされている。
【先行技術文献】
【特許文献】
【０００４】
【特許文献１】特開平６−５８０５６号公報
【発明の概要】
【発明が解決しようとする課題】
【０００５】
しかしながら、上記文献のような框組パネルは、部材が多く、それらを嵌合により連結しなければならないため作業には手間がかかっていた。特に、中横框を水平に配し、中縦框をその中横框に対して垂直に配する作業には精度が求められ、多大な時間を要していた。
【０００６】
本発明は、このような事情を考慮して提案されたもので、その目的は、框組パネルを効率よく、精度よく組み立てることができる框組パネル組立て用治具、框組パネル組立て用治具セットおよび框組パネル組立て方法を提供することにある。
【課題を解決するための手段】
【０００７】
上記目的を達成するために、本発明の框組パネル組立て用治具は、四周に枠框を有し、枠内に複数の中框が縦横に直角をなすように配されてなる框組パネルの組立てに用いられる、略方形状の板状体に形成されてなる框組パネル組立て用治具であって、前記中框は、一方向に配される第１中框と、他方向に配される第２中框とを有し、前記第１中框の短手辺縁が前記第２中框の長手辺縁に連結するように配される構成とされており、前記板状体の一方の面を前記中框を配置する配置面とし、該配置面を上方に向けて作業平面上に載せ置いて用いられるものであり、前記配置面には、前記第１中框のうち、１短手辺縁が前記枠框に連結される端部中框が収容され得る第１凹溝と、前記第２中框が収容され得る第２凹溝とが形成され、前記第１凹溝の溝通方向の一方の端縁が、前記第２凹溝の溝幅方向の一方の端縁に対し、溝間が連通するように直交状態に接続されており、前記第１凹溝は、その長さ寸法が前記端部中框の長手方向の寸法と略同じか小とされ、前記板状体の辺縁まで延びていることを特徴とする。
【０００８】
また本発明の框組パネル組立て用治具セットは、前記框組パネルは、前記第２中框を２枚、前記端部中框を２枚、前記縦框に接しない前記内部中框を１枚、前記鏡板を６枚用いてなり、前記第２中框のそれぞれに対応して前記框組パネル組立て用治具を２枚有することを特徴とする。
【０００９】
また本発明の框組パネルの製造方法は、前記框組パネル組立て用治具を、前記配置面を上方に向けて作業平面上に載せる準備工程と、前記中框および前記鏡板を前記框組パネル組立て用治具の対応する箇所に載置し、前記枠框を前記中框および前記鏡板の外側の対応する位置に載置し、それらの部材間を仮組する仮組工程と、前記枠框の２方向のそれぞれにおいて対向する２辺縁の外側より内方に向けて押圧し部材間を連結するプレス工程と、前記框組パネル組立て用治具を取り外す取り外し工程と、を備えたことを特徴とする。
【発明の効果】
【００１０】
本発明に係る框組パネル組立て用治具は上述した構成とされているため、框組パネルを効率よく、精度よく組み立てることができる。
また、本願の框組パネル組立て用治具セットによれば、２枚の框組パネル組立て用治具を同時に用いることで、框組パネルを効率よく、精度よく組み立てることができる。
【００１１】
また、本発明の框組パネルの製造方法によれば、框組パネル組立て用治具を用いることで、框組パネルを効率よく、精度よく組み立てることができる。
【図面の簡単な説明】
【００１２】
【図１】本発明の一実施形態に係る框組パネル組立て用治具セットの説明図である。（ａ）は同セットに含まれる一方の框組パネル組立て用治具（第１治具）の斜視図、（ｂ）は同他方の框組パネル組立て用治具（第２治具）の斜視図である。
【図２】（ａ）は第１治具の平面図、（ｂ）は（ａ）のＡ−Ａ線矢視断面図である。
【図３】（ａ）は第２治具の平面図、（ｂ）は（ａ）のＢ−Ｂ線矢視断面図である。
【図４】（ａ）は框組パネル組立て用治具セットを用いて組立てされる框組パネルの正面図、（ｂ）は平面図である。
【図５】（ａ）は第２中框の一部省略正面図、（ｂ）は同側面図、（ｃ）は第１中框の一部省略正面図、（ｄ）は同側面図である。
【図６】（ａ）は、框組パネル組立て用治具に対する第１中框、第２中框および横框の設置態様を示す、図２（ｂ）のＣ部における框組パネル組立て用治具の模式縦断面図である。（ｂ）は、同模式部分斜視図である。
【図７】本発明の一実施形態に係る框組パネルの製造方法を説明するための概略平面図（１／３）である。
【図８】同概略平面図（２／３）である。
【図９】同概略平面図（３／３）である。
【発明を実施するための形態】
【００１３】
以下に、本発明の実施の形態について、添付図面を参照しながら説明する。
まず、基本構成について説明する。
【００１４】
本框組パネル組立て用治具１（以下、たんに治具１と言う）は、四周に枠框３０を有し、枠内に複数の中框４０が縦横に直角をなすように配されてなる框組パネル３の組立てに用いられるものである。この治具１は略方形状の板状体に形成されてなる。ここで、中框４０は、一方向に配される第１中框４１と、他方向に配される第２中框４４とを有し、第１中框４１の短手辺縁４１ａが第２中框４２の長手辺縁４４ａに連結するように配される構成とされている。
【００１５】
治具１は、板状体の一方の面を中框４０を配置する配置面１ａとし、配置面１ａを上方に向けて作業平面５上に載せ置いて用いられるものである。配置面１ａには、第１中框４１のうち、１短手辺縁が枠框３０に連結される端部中框４２が収容され得る第１凹溝１１と、第２中框４４が収容され得る第２凹溝１２とが形成されている。第１凹溝１１の溝通方向の一方の端縁は、第２凹溝１２の溝幅方向の一方の端縁に対し、溝間が連通するように直交状態に接続されている。第１凹溝１１は、その長さ寸法が端部中框４２の長手方向の寸法と略同じか小とされ、板状体の辺縁まで延びている。
【００１６】
ついで、治具１について具体的に説明する。本実施形態の治具１は、図４に例示したような框組パネル３の組立てに用いられるものである。この框組パネル３は、四周に枠框３０（縦框３１、横框３２）が縦勝ちに配され、その枠内に第２中框４４（中横框）と、それに直交するように第１中框４１（中縦框）が配され、さらに框材で区画されたエリアに鏡板５０が配される構成とされている。この種の框組パネル３は、開き戸や引戸などに用いられる。
【００１７】
本実施形態では、このように中框４０として、横框３２に平行な２枚の第２中框４４と、縦框３１に平行な３枚の第１中框４１とが含まれる。３枚の第１中框４１は、同一の縦直線上に、第２中框４４により上下に分離されるように配されている。
【００１８】
本実施形態では、第１中框４１が中縦框とされ、第２中框４４が中横框とされる。第１中框４１には、枠内の端部側に配され、１短手辺縁が枠框３０（横框３２）に連結される端部中框４２と、その端部中框４２との間に第２中框４４を挟むように配され、端部中框４２と同方向に延びる内部中框４３とが含まれる。
【００１９】
したがって、図４に示した框組パネル３は、中框４０として第２中框４４を２枚、端部中框４２を２枚、横框３２に接しない内部中框４３を１枚用い、鏡板５０を６枚用いてなる。
【００２０】
第１中框４１および第２中框４４はともに、図５に示すように、その四周の厚さ方向の中央に、鏡板５０を嵌め入れる嵌め入れ溝４１ｂ、４４ｂが形成されている。この嵌め入れ溝４１ｂ、４４ｂには、鏡板５０が嵌め入れられるほか、枠框３０と連結するための雇い実（不図示）が嵌め入れられるようになっている。図５（ｂ）（ｄ）に示すように、第２中框４４と第１中框４１とでは、嵌め入れ溝４４ｂ、４１ｂの溝幅は略同一であるが、全体の厚さ寸法は第２中框４４が第１中框４１よりも大きい。
【００２１】
ついで、図４に示した框組パネル３の組立てに用いられる框組パネル組立て用治具セットの詳細構成について、図１〜図３および図６を参照しながら説明する。この治具セットには、図１（ａ）（ｂ）に示した２種の治具１が含まれる。これらの治具１は、平坦で略水平な作業平面５（図６参照）上において、框材（枠框３０および中框４０）を組み立てる際に用いられる。以下では、治具１については、作業平面５に載せ置いた状態を基準として上下方向を規定している。
【００２２】
図１（ａ）に示した治具１は框組パネル３の設置状態における下部に用いられる治具であり、図１（ｂ）に示した治具１は框組パネル３の設置状態における上部に用いられる治具である。これらの治具１は、用いられる対象部位および寸法が相異なるが、同一の構成部を備えてなるため、以下ではこれらを区別せずに説明する。
【００２３】
この治具１は長方形状の板状体に形成されてなる。この治具１の底面１ｂは作業平面５に設置する面とされ、略平坦に形成されている。この治具１の上面は上記複数種の中框４０および鏡板５０を配置する配置面１ａとされる。この配置面１ａには、上述した第１凹溝１１および第２凹溝１２が形成されているほか、第２凹溝１２を挟むように、第１凹溝１１の延長線上に配された第３凹溝１３が形成されている。つまり、第３凹溝１３は、第２凹溝１２における、第１凹溝１１と接続されていない側の端縁に、第２凹溝１２と溝間が連通するように直交状態に接続されている。この第３凹溝１３には、框組パネル３の組立ての際には内部中框４３が配される。
【００２４】
ようするに、第１凹溝１１とおよび第３凹溝１３と、第２凹溝１２とは、配置面１ａ上に、垂直状にクロスした状態に形成されている。ただし、第１凹溝１１と第３凹溝１３とは、第２凹溝１２を通じて連通しているものの、溝路自体は第２凹溝１２により分断されている。
【００２５】
第１凹溝１１と第３凹溝１３は略同一深さとされ、第２凹溝１２は第１凹溝１１、第３凹溝１３よりもさらに深く形成されている。また、第１凹溝１１、第３凹溝１３の溝幅は第１中框４１が収容され得る寸法であればよく、ほとんど隙間なく収容され得るように、第１中框４１の略幅寸法と合致することが望ましい。第２凹溝１２についても同様であり、第２中框の幅寸法と略合致することが望ましい。
【００２６】
また、第１凹溝１１の溝長は端部中框４２の長手方向の寸法と略同じか小とされる。つまり、端部中框４２を第１凹溝１１に、第２凹溝１２に収容した第２中框４４に接するように配した場合に、治具１の端部が端部中框４２の端部よりも突出しないことが望ましい。この端部中框４２端部は横框３２に連結されるが、横框３２は端部中框４２よりも厚いため、治具１を連結の邪魔にならないようにするためである（図８参照）。第２凹溝１２の溝長も第２中框４４の長手方向の寸法と略同じか小とされることが望ましく、本実施形態では、十分に小さいものとされている。
【００２７】
治具１の配置面１ａの第１凹溝１１、第２凹溝１２および第３凹溝１３を除く板面は、框組パネル３の組立ての際に鏡板５０が載置される、略方形状の平坦な載置部１４とされる。
【００２８】
各載置部１４の凹溝側の辺縁角部は面取り形成されている。このように面取りされていることで、中框４０を対応する凹溝にたやすく装着、収容することができる。また、各載置部１４の平面視における角部は、各凹溝の溝通方向の端部において溝幅が広がるように丸く形成されている。これにより、中框４０を対応する凹溝に、溝通方向の端部開口よりスライド装着することも簡単にできる。
【００２９】
ついで、治具１に第１中框４１、第２中框４４および鏡板５０を対応する所定位置に設置したときの治具１の厚さ方向の位置関係について、図６を参照しながら説明する。
【００３０】
図６（ａ）は図２（ｂ）のＣの拡大図であり、図６（ｂ）はその部位の拡大部分斜視図である。これらの図に示すように、第１凹溝１１に第１中框４１（端部中框４２）を収容し、第２凹溝１２に第２中框４４を収容した場合、第１中框４１の嵌め入れ溝４１ｂと第２中框４４の嵌め入れ溝４４ｂの高さ位置はほぼ合致している。ようするに、図６（ａ）に示すように、第１凹溝１１と第２凹溝１４の深さの差（治具１の底面１ｂから溝底面１１ａ、１２ａまでの厚みＨ１、Ｈ２の差）は、第１中框４１の厚みＷ１と第２中框４４の厚みＷ２の差の半分におおむね合致している。
【００３１】
さらに嵌め入れ溝４１ｂ、４４ｂの下側溝壁面４１ｂａ、４４ｂａまでの高さＨ３は、載置部１４の上面までの高さにほぼ合致している。したがって、鏡板５０を載置部１４に載せ置き、そのまま溝方向に向けてスライド移動させれば、簡単に鏡板５０を嵌め入れ溝４１ｂ、４４ｂに嵌入させることができる。
【００３２】
なお、第３凹溝１３と第１凹溝１１の溝底面１３ａ、１１ａの高さ位置は同じであるため、第３凹溝１３に内部中框４３を収容した場合にも、嵌め入れ溝４１ｂ、４４ｂ間の高さ位置、嵌め入れ溝４１ｂ、４４ｂと載置部１４の高さ位置はほぼ合致する。
【００３３】
このように、この治具１を用いれば、中框４０どうしの雇い実（不図示）による連結および中框４０への鏡板５０の連結を効率的に行うことができる。
【００３４】
また、図６（ａ）に示すように、横框３２を作業平面５上に配した場合には、その横框３２の嵌め入れ溝３２ａの高さ位置と、治具１に載せ置いた中框４０どうしで位置が合致した嵌め入れ溝４１ｂ、４４ｂの高さ位置とがほぼ合致する。
【００３５】
つまり、底面１ｂから溝底面１１ａ、１２ａまでの厚みＨ１、Ｈ２は、中框４０、横框３２間の嵌め入れ溝４１ｂ、４４ｂ、３２ａの高さ位置が相互に合致するように、中框４０の厚みＷ１、Ｗ２および横框３２の厚みＷ３を考慮して決定されればよい。
【００３６】
例えば、第１中框４１の厚みＷ１を２０．８ｍｍ、第２中框４４の厚みＷ２を２５．８ｍｍとする。厚みの差（Ｗ２−Ｗ１）が５．０ｍｍであるから、嵌め入れ溝４１ｂ、４４ｂが厚み中央で位置が合致するようにするならば、第１凹溝１１と第２凹溝１２の厚みの差（Ｈ１−Ｈ２）を５．０／２＝２．５ｍｍとすればよい。また、横框３２の厚みＷ３を３０．８ｍｍとすれば、横框３２と第２中框４４の厚みの差（Ｗ３−Ｗ２）は５．０ｍｍであるから、第２凹溝１２の厚みＨ２を５．０／２＝２．５ｍｍとすればよい。また、第１凹溝１１の厚みＨ１を（２．５ｍｍ＋２．５ｍｍ）＝５．０ｍｍとすればよい。
【００３７】
つぎに、図４に示した框組パネル３の製造方法について、図７〜図９をさらに参照しながら説明する。この框組パネル３の製造方法は、つぎの工程を順次実行することでなされる。
【００３８】
（ａ）準備工程
治具１を配置面１ａを上方に向けて作業平面５上に載せる（図７〜図９の破線参照）。図４に示した框組パネル３には治具セット（図１（ａ）（ｂ）に示した２種の治具１）が用いられるため、それらを作業平面上の所定位置に載置すればよい。
【００３９】
（ｂ）仮組工程
中框４０および鏡板５０を治具１の対応する箇所に載置し、枠框３０を中框４０および鏡板５０の外側の対応する位置に載置し、それらの部材間を仮組する。
具体的には、まず、中框４０および鏡板５０を治具１の所定の位置に配置し、横框３２を治具１の外側に配置して、第１中框４１、第２中框４４および横框３２の各嵌め入れ溝４１ｂ、４４ｂ、３２ａの高さ位置と鏡板５０の載置高さ位置を合致させて（図７参照）。そしてその後、部材間を仮組（仮連結）すればよい。
なお、図４に示した框組パネル３に用いられる縦框３１は横框よりも厚いため、図８に示すように、いったん中框４０、鏡板５０および横框３２を仮組したのち、それらの連結体と縦框３１とを仮組すればよい。また、横框３２、縦框３１間の連結は複数本のダボ（不図示）が用いられる。
なお、縦框３１が横框３２と同厚であれば、縦框３１の取り付けを横框３２の取り付けよりも先に行ってもよい。
【００４０】
（ｃ）プレス工程
仮組された框組パネル３の枠框３０の２方向のそれぞれにおいて対向する２辺縁の外側より、内方に向けて押圧し部材間を連結する。
【００４１】
（ｄ）取り外し工程
組み立てられた框組パネル３の裏面より治具１を取り外す。本実施形態の治具１は、第２凹溝１２の溝長寸法を第２中框４４よりも十分に小さくしたものであるため、裏側の鏡板５０との段差部分より、簡易に取り外すことができる。
【００４２】
以上のように、仮組作業において本治具１を用いれば、第１凹溝１１（第３凹溝１３）と第２凹溝１２とが直交関係となっているため、第１中框４１を第２中框４４に対して垂直に配することができる。また、鏡板５０を中框４０に連結すれば、その後、横框３２を第１中框４１に垂直に配することができ、縦框３１を第１中框４１に平行に配することができる。
【００４３】
また、この治具１は、第１中框４１、第２中框４４および横框３２の嵌め入れ溝４１ｂ、４４ｂ、３２ａの高さ位置が合致するように溝形成されているため、第１中框４１、第２中框４４、鏡板５０および横框３２の仮組を簡易に行うことができる。なお、鏡板５０の連結だけでなく、第１中框４１、第２中框４４間、第１中框４１および横框３２間、第２中框４４、横框３２間の連結についても効率的に行うことができる。
【００４４】
また、治具１としては、このような部材間の連結を効率的に行うことを目的としない構成のものであってもよい。つまり、治具１の厚さ方向（凹溝の深さなど）については特に規定せず、第１凹溝１１（第３凹溝１３）と第２凹溝１２との直交関係のみを形成した治具１であってもよい。すなわち、すくなくとも第１中框４１と第２中框４４とを精度よく配することができる、凹溝どうしの垂直関係が規定された治具１であればよい。
【００４５】
以上には、図４に示すように、第１中框４１と第２中框４４とが直交するように配された框組パネル３用の治具１を例示したが、Ｔ字状のもの、つまり内部中框４３を有しない框組パネルにも代用することができる。つまり、そのような框組パネルであれば、第３凹溝１３を有しない第１凹溝と第２凹溝とをＴ字状に設けた治具を用いてもよい。また、端部中框４２と内部中框４３とが直線状に配されない框組パネルを組み立てる場合には、それに対応した位置に第１凹溝と第３凹溝とを設けた治具を用いればよい。
【００４６】
また以上には、中縦框を第１中框４１とし、中横框を第２中框４４とした框組パネル３を例示したが、中縦框を第１中框４１とし、縦中框を第２中框４４とした框組パネルを組み立てる場合にも、それに対応した治具を用いればよい。
【符号の説明】
【００４７】
１          框組パネル組立て用治具（治具）
１ａ        配置面
１１        第１凹溝
１２        第２凹溝
１３        第３凹溝
１４        載置部
３          框組パネル
３０        枠框
３１        縦框
３２        横框
３２ａ      嵌め入れ溝
４０        中框
４１        第１中框
４１ａ      短手辺縁
４１ｂ      嵌め入れ溝
４２        端部中框
４３        内部中框
４４        第２中框
４４ａ      長手辺縁
４４ｂ      嵌め入れ溝
５０        鏡板
５          作業平面
【図１】
2020084611.tif 000003
【図２】
2020084611.tif 000004
【図３】
2020084611.tif 000005
【図４】
2020084611.tif 000006
【図５】
2020084611.tif 000007
【図６】
2020084611.tif 000008
【図７】
2020084611.tif 000009
【図８】
2020084611.tif 000010
【図９】
2020084611.tif 000011